(57)【要約】      （修正有）【課題】曝気ユニットを使用することなく、油性汚水の浄化、脱臭処理を行う汚水処理用浮体および処理方法を提供する。【解決手段】グリストラップ２内に停留された油性汚水を処理する際に、天然の通気性材料からなる外装体１５と、外装体内部に充填されると共に、好気性菌及び嫌気性菌を担持した多孔質材料からなる微生物担体１２とを備える油性汚水処理用浮体１につき、外部空気と接触する空気接触面が形成されるように油性汚水面に浮かせ、少なくとも空気接触面から取り入れた外部空気と微生物担体とにより外装体内部に好気的環境を作り出し、この作り出した好気的環境に基づいて好気性菌による油性汚水の分解を促進させ、好気性菌による分解に基づいて外装体内部に嫌気的環境を作り出し、この作り出した嫌気的環境に基づいて嫌気性菌による油性汚水の分解を促進させる。【選択図】図２
2007044685.tif 000002
【特許請求の範囲】
【請求項１】
天然の通気性材料からなる外装体と、
上記外装体内部に充填されると共に、好気性菌及び嫌気性菌を担持した多孔質材料からなる微生物担体とを備えること
を特徴とする油性汚水処理用浮体。
【請求項２】
上記微生物担体には、上記好気性菌及び上記嫌気性菌が吸着されていること
を特徴とする請求項１記載の油性汚水処理用浮体。
【請求項３】
上記外装体及び／又は上記微生物担体には、さらに酵素が吸着されていること
を特徴とする請求項１又は２記載の油性汚水処理用浮体。
【請求項４】
天然の通気性材料からなる外装体と、
上記外装体内部に充填される充填材と、
上記外装体内部に含められる好気性菌および嫌気性菌と
上記好気性菌及び上記嫌気性菌を含む微生物を担持させるための多孔質材料からなる微生物担体と、
を備えることを特徴とする油性汚水処理用浮体。
【請求項５】
上記外装体内部には、油脂分解性の酵素がさらに封入されてなることを特徴とする請求項４記載の油性汚水処理用浮体。
【請求項６】
上記外装体は、ヤシガラ繊維であることを特徴とする請求項４または請求項５記載の油性汚水処理用浮体。
【請求項７】
上記充填材は、おが屑又は籾殻であることを特徴とする請求項４または請求項５記載の油性汚水処理用浮体。
【請求項８】
上記微生物担体は、炭又は軽石であることを特徴とする請求項４または請求項５記載の油性汚水処理用浮体。
【請求項９】
上記充填材は、
油性汚水処理浮体が上面面積１２５cm2に対して高さが１cmとなるように充填される、又は上面における縦および横の長さ１に対して高さが１/５となるように充填させることにより、外部空気と接触する空気接触面が形成されるように上記油性汚水面に浮遊可能とされていることことを特徴とする請求項４〜８のうち何れか１項記載の油性汚水処理浮体。
【請求項１０】
処理槽内に停留された油性汚水を処理する油性汚水処理方法において、
上記請求項１〜９のうち何れか１項記載の油性汚水処理用浮体につき、外部空気と接触する空気接触面が形成されるように上記油性汚水面に浮かせ、
少なくとも上記空気接触面から取り入れた外部空気と上記微生物担体とにより上記外装体内部に好気的環境を作り出し、この作り出した好気的環境に基づいて上記好気性菌による油性汚水の分解を促進させ、
上記好気性菌による分解に基づいて上記外装体内部に嫌気的環境を作り出し、この作り出した嫌気的環境に基づいて上記嫌気性菌による油性汚水の分解を促進させること
を特徴とする油性汚水処理方法。
【請求項１１】
処理槽内に停留された油性汚水を処理する油性汚水処理方法において、
上記請求項５項記載の油性汚水処理用浮体につき、外部空気と接触する空気接触面が形成されるように上記油性汚水面に浮かせ、
少なくとも水面近傍に浮遊してきた油脂を上記酵素により分解し、
少なくとも上記空気接触面から取り入れた外部空気と、上記微生物担体及び／又は上記充填材とにより上記外装体内部に好気的環境を作り出し、上記酵素による分解により生成された分解生成物を、この作り出した好気的環境に好適な上記好気性菌によりさらに分解させ、
上記好気性菌による分解に基づいて上記外装体内部に嫌気的環境を作り出し、上記分解性生物の分解を、この作り出した嫌気的環境に好適な上記嫌気性菌により促進させること
を特徴とする油性汚水処理方法。
【請求項１２】
上記水面近傍に浮遊してきた油脂を上記充填材により吸着させること
を特徴とする請求項１０又は１１記載の油性汚水処理方法。
【発明の詳細な説明】
【技術分野】
【０００１】
本発明は、油性汚水処理用浮体並びに油性汚水処理方法に関し、特に浄化槽内に停留された油性汚水を処理する際に好適な油性汚水処理用浮体並びに油性汚水処理方法に関する。
【背景技術】
【０００２】
下水道法では、一般にグリストラップと呼ばれる浄化槽の設置を飲食業者に義務付けている。浄化槽に油脂類を含んだ汚水が流入し、浄化槽内に溜まった廃食油中の油脂類や汚泥は浄化槽内に滞留し、残りの汚水はトラップ管を経て排水されている。浄化槽の表面に滞留した油脂類等は、時間の経過に応じて嫌気性菌の活動に伴って腐敗する。油脂類の分解性生物であるアンモニアや硫化水素は悪臭の原因ともなる。このように、浄化槽のスラッジをそのまま放置すると、厨房内環境が悪化し、衛生面においても深刻な問題となり得る。
【０００３】
このため、従来においては、この浄化槽内のスラッジを、手作業で定期的に汲み取り、これを廃棄していた。しかしながら、かかる廃棄に伴う作業員の労力は過大なものであり、またこれに伴うコストも増加してしまうという問題点があった。
【０００４】
このような問題点を解消するため、微生物を用いたグリストラップ中の廃油脂を処理する処理装置が提案されている（例えば、特許文献１、２参照。）。この提案された処理装置では、いずれも廃油脂分解用に好気性微生物を使用するものであり、かかる好気性微生物の活動を高めるべく、曝気ユニットを備えている。
【０００５】
また、親油性及び多孔質の発泡シート等を加工した袋に、好気性微生物（汚水処理用種菌）を封入した汚水処理用容器も提案されている（例えば、特許文献３参照。）。この汚水処理用容器の表面に、複数の小孔を設け、そこから汚水が浸入する構成とされている。このとき、悪臭の抑制や廃油脂の分解を効率よく実行すべく、曝気ユニットによる曝気を同時に実行するようにしてもよい。
【特許文献１】特開２０００−３２５９３８号公報
【特許文献２】特開２００２−８６１７３号公報
【特許文献３】特開２０００−３５５６３４号公報
【発明の開示】
【発明が解決しようとする課題】
【０００６】
しかしながら、このような曝気を同時に実行するための曝気ユニットの配設ために、コストが増大し、また設置場所を確保しなければならないという問題点があった。
【０００７】
即ち、曝気を実行することなく好気性菌による油性汚水の分解を効果的に促進させ、グリストラップ内の浄化度をより向上させることが可能な油性汚水処理方法が従来より望まれていた。
【０００８】
そこで、本発明は、上述した問題点に鑑みて案出されたものであり、その目的とするところは、曝気ユニットを使用することなく、効果的に油性汚水の浄化、脱臭処理を行うことが可能な油性汚水処理用浮体並びに油性汚水処理方法を提供することにある。
【課題を解決するための手段】
【０００９】
本発明者は、上述した課題を解決するために、天然の通気性材料からなる外装体内に好気性菌及び嫌気性菌を担持した多孔質材料からなる微生物担体を充填した油性汚水処理用浮体を発明した。
【００１０】
即ち、本発明を適用した油性汚水処理用浮体は、天然の通気性材料からなる外装体と、外装体内部に充填されると共に好気性菌及び嫌気性菌を担持した多孔質材料からなる微生物担体とを備える。
また、上記微生物担体には、上記好気性菌及び上記嫌気性菌が吸着されていることが望ましい。
【００１１】
また、上記外装体及び／又は微生物担体には、さらに油脂分解性の酵素が吸着されていることことが望ましい。
【００１２】
即ち、本発明を適用した油性汚水処理方法は、処理槽内に停留された油性汚水を処理する油性汚水処理方法において、上記油性汚水処理用浮体につき、外部空気と接触する空気接触面が形成されるように油性汚水面に浮かせ、少なくとも空気接触面から取り入れた外部空気と微生物担体とにより上記外装体内部に好気的環境を作り出す。
【発明の効果】
【００１３】
天然の通気性材料からなる外装体内に好気性菌及び嫌気性菌を担持した多孔質材料からなる微生物担体を充填した油性汚水処理用浮体につき、外部空気と接触する空気接触面が形成されるように油性汚水面に浮かせ、少なくとも空気接触面から取り入れた外部空気と微生物担体とにより上記外装体内部に好気的環境を作り出し、この作り出した好気的環境に基づいて好気性菌による油性汚水の分解を促進させ、好気性菌による活性により汚水中の溶存酸素が減少し装体内の浸水部に嫌気的環境を作り出し、この作り出した嫌気的環境に基づいて嫌気性菌による油性汚水の分解を促進させる。
【００１４】
当該外装体内に多孔質性の微生物担体が充填することにより、浮体に浮力を適度に持たせ、長期に亘り水面に留まらせることができる。さらに、浮体中央部に膨らみができることにより浮体と空気の接触面が増幅され好気的環境が確保することができる。また、この充填材には、微生物が定着し、充填材における油脂類の分解および悪臭の除去、さらに汚水表面の油脂類を吸着する効果も期待できる。
【００１５】
本発明では、好気性菌と嫌気性菌とを同時および連続的に作用させることにより、従来の如く曝気ユニットを使用して曝気させることなく、油性汚水の浄化及び脱臭を効果的に行うことが可能となり、システム全体を低コスト化させることが可能となる。
【００１６】
水面に浮いた油脂類は、浮体内部に担持された微生物が分泌する又は浮体内部に含められた加水分解酵素、例えばリパーゼによりグリセリンおよび脂肪酸に分解される。
【発明を実施するための最良の形態】
【００１７】
以下、本発明を実施するための最良の形態として、浄化槽内に停留された油性汚水を処理する油性汚水処理用浮体について、図面を参照しながら詳細に説明する。
【００１８】
図１(a)は、本発明を適用した油性汚水処理用浮体１の構成を示す斜視図である。また図１(b)は、この油性汚水処理用浮体１の断面構成を示す図である。この油性汚水処理用浮体１は、天然の通気性材料からなる外装体１１と、この外装体１１内部に充填される微生物担体１２とを備えている。この外装体１１の周囲は、止め具１３で縫い合わされている。
【００１９】
外装体１１は、環境に配慮し、天然に存在する通気性材料をそのまま使用したものであり、例えばヤシガラ繊維等の自然界に存在する生物によって構成されるものである。外装体１１は、例えば表１に示されるような麻、竹、炭素繊維等、（例えば、綿、麻、棕櫚、竹繊維の植物繊維、羊毛、絹、等の動物繊維である天然繊維）が用いられることが望ましい。
【００２０】
【表１】
2007044685.tif 000003
【００２１】
この外装体１１を構成する通気性材料は、空気が通過可能な空隙を有するものである。この外装体１１は、浄化槽内における油性汚水に浮遊可能され、また浄化槽内のサイズに応じて最適な形状、大きさに成形加工されてなる。以下の例においては、幅約２５ｃｍ、長さ約５０ｃｍ、厚み７ｍｍのヤシガラ繊維を２つ折りにしてたたみ、略正方形状で外装体１１を構成した場合を例にとり説明をする。
【００２２】
ちなみに、この外装材１１を例えば図２に示すようなグリストラップ２に浮遊させた場合には、外部空気と接触する空気接触面１５が形成され、また油性汚水中に浸漬する汚水接触面１６とが形成されることになる。この空気接触面１５を介して外部空気が外装体１１内部に取り入れられることになり、またこの汚水接触面１６を介してグリストラップ２中の油性汚水が浸入可能となる。
【００２３】
ちなみに、この外装体１１は、油性汚水になじみやすくなるように表面を親油性及び／又は吸油性処理されていることが望ましい。
【００２４】
また外装体１１は、油性汚水処理用浮体１の浮力を高めるべく、その表面に対して撥水処理を施すようにしてもよい。これにより、油性汚水表面における浮き性を調整することが可能となり、ひいては、空気接触面１５と汚水接触面１６との面積比を調整することが可能となる。このような撥水処理は、従来におけるいかなる撥水処理の手段を使用してもよい。
【００２５】
止め具１３は、外装体１１から微生物担体１２が油性汚水処理中に外部へ放出されないように、外装体１１の周囲を止着するものであり、例えば、麻紐、タコ糸等である。この止め具１３を構成する材料は、環境に配慮した天然素材で構成される方が望ましい。ちなみに、図１に示す例では、外装体１１の周囲全体を止め具１３で止着しているが、これに限定されるものではなく、外装体１１の形状及び微生物担体１２の種類に応じて、その部数や止着位置を適宜変更するものであってもよい。
【００２６】
微生物担体１２は、空気を担持可能な多孔質材料からなる。この微生物担体１２は、微生物の生育、増殖を促進させる観点から外装体１１内に充填されるものである。微生物担体１２を構成する多孔質材料は、廃棄時に環境を配慮する観点から、また良好な微生物の繁殖の場を提供する観点から、このような性質を具備する天然素材で構成されることが望ましい。この微生物担体１２を構成する多孔質材料は、例えば、おが屑、消し炭、木材チップ片、備長炭、炭素繊維等が（おが屑、炭、多孔質石、多孔質溶岩）が適用される。
【００２７】
ちなみに、油性汚水処理用浮体１全体の脱臭作用を向上させることが可能となる。また、この微生物担体１２は、軽量でありかつ適度な細孔を有し、外装体１１の内部に配置されて封入される際に浮体中央部に膨らみを作ることにより、浮体内部は空気を取り込むことができる。
【００２８】
微生物担体１２を構成する多孔質材料に担持される微生物は、好気性菌及び嫌気性菌の組み合わせで構成される。これらの微生物は、多孔質材料における細孔に保持されているため、多くは使用中に流出することがない。
【００２９】
これらの微生物は、油性汚水に含まれる廃食用油脂の発酵分解能力を有する細菌類、真菌類、放線菌類等に属する種又はその変異種である好気性菌並びに嫌気性菌であればよい。この好気性菌と嫌気性菌の最適な組み合わせは、何れとも１種類ずつ組み合わせてもよいし、複数種ずつ組み合わせるようにしてもよい。また、ＢＦＴ剤を利用するようにしてもよい
（ＢＦＴ剤：http://www5.famille.ne.jp/~baioston/biostone2.html）
【００３０】
上述の構成からなる油性汚水処理用浮体１は、外装体１１そのものにつき空隙率が高い上に、これに充填される微生物担体１２についても空隙率が高く、さらに、この外装体１１と微生物担体１２との間隙においても空気を内包することができ、適度な空隙が存在する。しかも、この油性汚水処理用浮体１を構成する各材質は、いずれも軽い素材で構成されている。このため、油性汚水処理用浮体１全体の空隙率はいきおい高くなり、油性汚水上に容易に浮遊させることが可能となる。
【００３１】
次に、本発明を適用した油性汚水処理用浮体１による油性汚水の処理方法につき、説明をする。
【００３２】
先ず、上述の構成からなる油性汚水処理用浮体１を図２に示すようなグリストラップ２に停留された油性汚水に浮かばせる。このグリストラップ２は、食品工場や飲食店を始めとした業務用厨房から管３を介して流れてくる排水を一時的に停留させ、これを浄化した上で管４を介して下水へと流すための、いわゆる浄化槽である。このグリストラップ２において停留される油性汚水は、例えば動物性油脂、植物性油脂および鉱油からなる廃食油を含む水である。
【００３３】
油性汚水処理用浮体１は、グリストラップ２に停留された油性汚水に浮遊する結果、形成される空気接触面１５から外部空気が取り込まれ、また形成される汚水接触面１６から油性汚水が浸入してくることになる。
【００３４】
このとき、空気接触面１５を介して取り込まれた空気と、微生物担体１２中に保持された空気、さらには外装体１１と微生物担体１２との間隙にある空気等により、良好な好気的環境が形成されることになる。この好気的環境下においては、微生物担体１２中に担持された微生物のうち、特に好気性菌等の活動を促進させることができ、油性汚水中の油脂等が好気性菌等によって分解されることになり、グリストラップ２中の油性汚水が浄化されることになる。ちなみに、この好気性菌は、水温約３８℃程度において最も分解作用が促進されることになるが、レストランの厨房から流れてくる油性汚水は、一般に３８〜４０℃であることから、かかる作用が水温により阻害されることはない。
【００３５】
なお、油脂分解性酵素を添加した場合は、当該酵素により油脂類は早期にグリセリンおよび脂肪酸の低分子に分解される、微生物はその分解性生物であるグリセリンおよび脂肪酸をさらに分解するため、油脂類の分解時間が短縮される。
【００３６】
また、好気性菌による活動が促進されるにつれて、外装体１１内部の空気、ひいては微生物担体１２に保持された空気が消費されると、外装体１１内部（微生物担体１２内部）の浸水部における溶存酸素が減少して嫌気的環境が作り出されることになる。この嫌気的環境下においては、微生物担体１２中に担持された微生物のうち、特に嫌気性菌の活動を促進させることができる。これにより、油性汚水中の油脂が嫌気性菌によっても分解されることになり、グリストラップ２中の油性汚水の浄化がさらに促進されることになる。即ち、好気性菌と嫌気性菌の双方を外装体内部において混在させることにより、それぞれの分解力を高めることが可能となる。
【００３７】
このように、本発明は、好気性菌と通性嫌気性菌とを同時におよびこれらの菌と偏性嫌気性菌を連続的に作用させることにより、従来の如く曝気ユニットを使用して曝気させることなく、グリストラップ２中の油性汚水の浄化及び脱臭を効果的に行うことが可能となる。特に本発明では、外部空気を積極的に取り入れる構成とすることにより、好気性菌等を効率よく活性化させる点に構成上の重点を置き、偏性嫌気性菌は、好気性菌の浄化作用により得られる嫌気的環境に基づいて自然に分解していくことになる。従って、偏性嫌気性菌の活性化に寄与するための構成が特段設けられていなくても、かかる偏性嫌気性菌を効果的に活動させることが可能となる。換言すれば、好気性菌の分解活動に基づいて偏性嫌気性菌を活性化させることが可能となる。
【００３８】
実際に、上述したヤシガラ繊維からなる略正方形状の外装体１１におが屑を挟んで、麻糸からなる止め具１３で外装体１１周囲を止着し、これをグリストラップ２に停留された油性汚水へ浮遊させて放置した。その後の排水浄化の様子を観察したところ、浮遊開始日から１週間後には、油性汚水表面に浮かぶ油脂類のうち、グリストラップ内部において動植物油量はn-ヘキサン抽出量値で７３０００ｍｇ／Ｌ含有しているのに対し、グリストラップ出口では、８９ｍｇ／Ｌとなっていた。即ち、グリストラップ内部における動植物油は、この油性汚水処理用浮体１によって分解され、グリストラップ出口に至るまでに殆ど浄化されていることを意味している。同様に、浮遊開始日から２週間後には、グリストラップ内部において動植物油量はn-ヘキサン抽出量値で１９００００ｍｇ／Ｌ含有しているのに対し、グリストラップ出口では、９３ｍｇ／Ｌとなっていた。これは、グリストラップに油性汚水処理用浮体１を浮遊させることにより、油性汚水が殆ど透明化させることができ、またグリストラップからの悪臭も、油性汚水処理用浮体１を浮遊させてから５〜８時間後には、殆どしなくなった。
【００３９】
この点において、従来の曝気により好気性菌の分解作用を増加させる方法と比較して、好気性菌と嫌気性菌とを互いに連動させて作用させる本発明では、５時間〜８時間程度で油性汚水を透明化させることが可能となり、浄化速度を促進させることが可能となる。
【００４０】
因みに、この油性汚水処理用浮体１は、油性汚水を浄化した後、数週間で交換する必要が出てくる。しかし、この油性汚水処理用浮体１は、天然素材で構成されているため、これを処理する際においても可燃物として分別廃棄することができることから、より環境にやさしい構成とすることが可能となる。
【００４１】
なお、本発明を適用した油性汚水処理用浮体１は、上述した実施の形態に限定されるものではなく、微生物担体１２に、好気性菌及び嫌気性菌を吸着させるようにしてもよい。これにより、油性汚水の浄化及び脱臭効果をさらに向上させることが可能となる。
【００４２】
また、外装体１１及び／又は微生物担体１２には、さらにアミラーゼ、プロテアーゼ、リパーゼ等に代表される酵素が吸着されていてもよい。即ち、吸着された酵素により、好気性菌及び嫌気性菌の分解作用を助長させることが可能となり、油性汚水の浄化及び脱臭の効果をより向上させることが可能となる。
【００４３】
これらの酵素の固定化は、従来より実用化されている方法に基づいて実行してもよいし、外装体１１及び／又は微生物担体１２の何れに対して、また双方に対して吸着されていてもよい。外装体１１に酵素を固定化させる場合には、外装体１１の表面に吸着させるようにしてもよいし、またその内部に吸着させるようにしてもよい。望ましくは油脂が効果的に接触する表面に酵素を吸着させる。
【００４４】
次に、本発明を適用した油性汚水処理用浮体における他の構成例について説明をする。
【００４５】
図３は、他の構成例としての油性汚水処理用浮体７の断面構成を示している。この油性汚水処理用浮体７は、天然の通気性材料からなる外装体１１と、この外装体１１内部に充填される充填材２２と、外装体内部に含められる好気性菌及び嫌気性菌と、好気性菌及び嫌気性菌を含む微生物を担持させるための多孔質材料からなる微生物担体２３と、外装体内部に封入されている油脂分解性の酵素とを有する。ちなみに、この図３において、上述した実施の形態と同一の構成要素並びに部材は、同一の番号を付すことにより以下での説明を省略する。
【００４６】
充填材２２は、おが屑、木材チップ片、籾殻、炭素繊維、ピートモス等である。また、この充填材２２は、適度な細孔を有していてもよい。この充填材２２は、水に浮かせるために、（浮水性）軽比重性材料で構成するようにしてもよい。
【００４７】
この充填材２２は、外装体１１の内部に配置されて封入される際に浮体中央部に膨らみを作ることにより、浮体内部は空気を取り込むことができる。この浮体中央部に膨らみを作る際には、外装体１１内への充填材２２の充填量や充填密度、充填分布を最適化する必要がある。充填材２２は、油性汚水処理浮体が上面面積１２５cm2に対して高さが１cmとなるように充填されるか、又は上面における縦および横の長さ１に対して高さが１/５となるように充填させるようにしてもよい。
【００４８】
微生物担体２３は、空気を担持可能な多孔質材料からなる。この微生物担体２３は、微生物の生育、増殖を促進させる観点から外装体１１内に充填されるものである。微生物担体２３を構成する多孔質材料は、廃棄時に環境を配慮する観点から、また良好な微生物の繁殖の場を提供する観点から、このような性質を具備する天然素材で構成されることが望ましい。この微生物担体２３を構成する多孔質材料は、例えば炭（消し炭や備長炭を含む）又は軽石である。
【００４９】
外装体１１に含められる好気性菌並びに嫌気性菌は、タブレットに圧縮されていてもよいし、また、カプセル等の充填容器２４内に充填されていてもよい。この充填容器２４は、水溶性であり、油性汚水処理用浮体７をグリストラップ２に浮遊させた場合に、その内部に貯水された液体によって溶け出す。その結果、充填容器２４に充填された好気性菌や嫌気性菌は、外装体１１内に徐々に拡散し、場合によっては外装体１１外部にも拡散していくことになる。
【００５０】
ちなみに、これら好気性菌および嫌気性菌は、製造および運搬時には、休眠状態であることが望ましい。製造段階において、粉状もしくは液状物質に含まれる休眠状態の菌体を、微生物担体に散布し担持させてもよい。または、粒状、包装した粉状もしくは液状物質に含まれる休眠状態の菌体を微生物担体と併せて外装体内部に封入してもよい。
【００５１】
使用する菌には、好気性菌として、酢酸菌、枯草菌（納豆菌）等の好気性Bacillus属細菌、好気性シュードモナス属細菌、イースト菌（サッカロミセス、トルロプシス）、硝酸菌、亜硝酸菌を、嫌気性菌として乳酸菌、メタン菌、鉄細菌、硫酸還元菌、酵母菌、嫌気性シュードモナス属細菌、嫌気性Clostridium属細菌等、嫌気性Bacillus属細菌等、放線菌、酵母菌を利用してもよい。
【００５２】
嫌気性菌は、酸素存在下では発育できない偏性嫌気性菌と、酸素存在下では発育が促進される通性嫌気性菌とに分けられるが、上記好気的環境に基づいて好気性菌および通性嫌気性菌（以下、好気性菌等）による油性汚水の分解を促進させ、好気性菌等による分解に基づいて外装体内部に嫌気的環境を作り出し、この作り出した嫌気的環境に基づいて偏性嫌気性菌による油性汚水の分解を促進させる。
【００５３】
油脂分解性の酵素は、加水分解酵素、例えばリパーゼ等に代表されるものであり、図中で示されるような紙類で構成される包装帯２５により包装された状態で外装体１１内に充填される。
【００５４】
次に、本発明を適用した油性汚水処理用浮体７の作用について説明をする。
【００５５】
先ず、油性汚水処理用浮体７をグリストラップ２に浮遊させると上述の如く充填容器２４内の好気性菌や嫌気性菌が外部へ拡散する。その結果、これら好気性菌や嫌気性菌の一部は、上記微生物担体２３としての多孔質材料の細孔内に保持されることになる。
【００５６】
また、油性汚水処理用浮体７に充填される充填材２２の充填量や充填密度、充填分布を最適化することにより浮体中央部に膨らみを作った場合には、油性汚水処理用浮体７に浮力を適度に持たせることが可能となり、長期に亘り水面に留まらせることができる。さらに、浮体中央部に膨らみができることにより浮体と空気の接触面積を増加させることが可能となり、好気性菌が活動する際に好適な好気的環境を作り出すことが可能となる。
【００５７】
また、充填材２２をおが屑等で構成し、これを外装体１１内部に大量に充填することにより、油性汚水との接触面積が増加し、ひいてはそれに含まれている油脂の吸着面積自体を増加させることが可能となる。その結果、油性汚水処理用浮体７をグリストラップ２内に浮遊させた後、しばらくの間は、この充填材２２による油脂の吸着能力を向上させることができる。即ち、充填材２２の油脂吸着能力の増加に伴い、この油性汚水処理用浮体７をグリストラップ２内に浮遊させることで、その周囲にある油性汚水中の油脂の外装体１１内への吸収能力を向上させることができる。また、この充填材２２に油脂を吸着させることができれば、臭気も同様に吸着させることも可能となり、これによってグリストラップ２における悪臭の除去に寄与させることも可能となる。
【００５８】
次に、酵素は、この外装体１１内に大量に流入してきた油脂を、グリセリン及び脂肪酸へ加水分解する。ちなみに酵素が外装体１１外へと流出した場合においても、その外装体１１外に浮遊している油脂を順次分解していくことも可能となる。
【００５９】
油脂（分解されたグリセリン並びに脂肪酸を含む低分子の有機物を含む）は、上記好気性菌及び上記嫌気性菌を含む微生物により二酸化炭素等にまで分解される。また、硫化水素およびアンモニア等の悪臭成分は好気性菌により、それぞれ水素と硫黄および硝酸へと、硝酸は嫌気性菌により窒素へと分解される。
【００６０】
即ち、好気性菌は、下記化学式で例示されるプロセスに基づいて有機化合物は順次分解されていくことになる。
有機化合物(C, H, O, N, S, P等) +O2 + H2O  →  CO2 + H2O +SO4+ PO4
2H2S + 2S →  2H2 + 2S
NH3→ NO → NO2 → NO3
また、嫌気性菌は、下記化学式で例示されるプロセスに基づいて有機化合物は順次分解されていくことになる。
有機化合物(C,H,O,N,S,P等) + H2 → CH4 + CO2 + H2+ NH3 + S2
NO3-→ NO2- → NO → N2O → N2
【００６１】
例えば、嫌気性菌であるメタン菌は低級脂肪酸をメタンおよび二酸化炭素にまで分解する。
【００６２】
脂肪酸のうち飽和脂肪酸は白濁した沈殿物となり浄化槽排水管の目詰まりの原因ともなり、油脂類分解性生物であるアンモニアや硫化水素は悪臭の原因ともなるが、微生物により脂肪酸は分解され、悪臭も沈殿物も解消することができる。未分解の脂肪酸についても、浮体に吸着するため、浮体と併せて槽内から取り出すことができる。
【００６３】
よって、浄化槽内に停留した油脂類は微生物により水溶性基にまで分解されるため、除去作業が不要となる。また、悪臭成分も同様に非悪臭成分にまで分解されるため、厨房等の環境悪化を防止することができる。
【００６４】
なお、充填材２２は、上述の如く〜  充填量や充填密度、充填分布が最適化されているため、浮体中央部に膨らみが作られている。これにより、外部から外装体１１内へ空気が積極的に取り入れられることになる。また充填材２２をおが屑等で構成することにより、充填材２２の間隙を多数作り出すことが可能となり、その間隙において空気を保持することが可能となる。場合によっては、微生物担体２３内部においても空気を保持することが可能となる。その結果、外装体１１内部において好気性環境を作り出すことが可能となる。
【００６５】
その結果、酵素による分解により生成された分解生成物を、この作り出した好気的環境に好適な上記好気性菌によりさらに分解させることが可能となる。また、好気性菌による分解に基づいて上記外装体内部に嫌気的環境を作り出し、分解性生物の分解を、この作り出した嫌気的環境に好適な嫌気性菌により促進させることも可能となる。
【００６６】
ちなみに、ここでいう好気性菌並びに嫌気性菌は、予め充填容器２４内に充填されているものに限定されず、グリストラップ２内に存在していた好気性菌、嫌気性菌をも含む趣旨である。
【図面の簡単な説明】
【００６７】
【図１】本発明を適用した油性汚水処理用浮体の構成を示す図である。
【図２】本発明を適用した油性汚水処理用浮体をグリストラップ内で浮遊させる場合につき説明するための図である。
【図３】油性汚水処理用浮体の他の構成例を示す図である。
【符号の説明】
【００６８】
１  油性汚水処理用浮体
２  グリストラップ
・  管
１１  外装体
１２  微生物担体
１３  止め具
１５  空気接触面
１６  汚水接触面
【図１】
2007044685.tif 000004
【図２】
2007044685.tif 000005
【図３】
2007044685.tif 000006
【手続補正書】
【提出日】平成18年9月12日(2006.9.12)
【手続補正１】
【補正対象書類名】特許請求の範囲
【補正対象項目名】全文
【補正方法】変更
【補正の内容】
【特許請求の範囲】
【請求項１】
天然の通気性材料からなる外装体と、
上記外装体内部に充填される充填材と、
上記外装体内部に含められる好気性菌および嫌気性菌と、
上記好気性菌及び上記嫌気性菌を含む微生物を担持させるための多孔質材料からなる微生物担体とを備え、
上記外装体は、ヤシガラ繊維であり、
上記充填材は、おが屑であり、
上記微生物担体は、炭であること
を特徴とする油性汚水処理用浮体。
【請求項２】
上記外装体内部には、油脂分解性の酵素がさらに封入されてなることを特徴とする請求項１記載の油性汚水処理用浮体。
【請求項３】
処理槽内に停留された油性汚水を処理する油性汚水処理方法において、
上記請求項１記載の油性汚水処理用浮体につき、外部空気と接触する空気接触面が形成されるように上記油性汚水面に浮かせ、
少なくとも上記空気接触面から取り入れた外部空気と上記微生物担体とにより上記外装体内部に好気的環境を作り出し、この作り出した好気的環境に基づいて上記好気性菌による油性汚水の分解を促進させ、
上記好気性菌による分解に基づいて上記外装体内部に嫌気的環境を作り出し、この作り出した嫌気的環境に基づいて上記嫌気性菌による油性汚水の分解を促進させること
を特徴とする油性汚水処理方法。
【請求項４】
処理槽内に停留された油性汚水を処理する油性汚水処理方法において、請求項２項記載の油性汚水処理用浮体につき、外部空気と接触する空気接触面が形成されるように上記油性汚水面に浮かせ、
少なくとも水面近傍に浮遊してきた油脂を上記酵素により分解し、
少なくとも上記空気接触面から取り入れた外部空気と、上記微生物担体及び／又は上記充填材とにより上記外装体内部に好気的環境を作り出し、上記酵素による分解により生成された分解生成物を、この作り出した好気的環境に好適な上記好気性菌によりさらに分解させ、
上記好気性菌による分解に基づいて上記外装体内部に嫌気的環境を作り出し、上記分解性生物の分解を、この作り出した嫌気的環境に好適な上記嫌気性菌により促進させること
を特徴とする油性汚水処理方法。
【請求項５】
上記水面近傍に浮遊してきた油脂を上記充填材により吸着させること
を特徴とする請求項３又は４記載の油性汚水処理方法。
【手続補正２】
【補正対象書類名】明細書
【補正対象項目名】００１０
【補正方法】変更
【補正の内容】
【００１０】
即ち、本発明を適用した油性汚水処理用浮体は、天然の通気性材料からなる外装体と、上記外装体内部に充填される充填材と、上記外装体内部に含められる好気性菌および嫌気性菌と、上記好気性菌及び上記嫌気性菌を含む微生物を担持させるための多孔質材料からなる微生物担体とを備え、上記外装体は、ヤシガラ繊維であり、上記充填材は、おが屑であり、上記微生物担体は、炭であることを特徴とする。
【手続補正３】
【補正対象書類名】明細書
【補正対象項目名】００６４
【補正方法】変更
【補正の内容】
【００６４】
なお、充填材２２は、上述の如く充填量や充填密度、充填分布が最適化されているため、浮体中央部に膨らみが作られている。これにより、外部から外装体１１内へ空気が積極的に取り入れられることになる。また充填材２２をおが屑等で構成することにより、充填材２２の間隙を多数作り出すことが可能となり、その間隙において空気を保持することが可能となる。場合によっては、微生物担体２３内部においても空気を保持することが可能となる。その結果、外装体１１内部において好気性環境を作り出すことが可能となる。